(57)【特許請求の範囲】
【請求項１】
衣類用ハンガーであって、
回転点から第一の方向に伸延する、第一フック部材と、
前記回転点から実質的に反対の第二の方向に伸延する、第二フック部材と、
前記回転点からほぼ離れるように伸延する、アームのペアと、
前記アーム部材の端部に接続された、ベース部材とを具備し、
前記第一フック部材と前記第二フック部材は、前記回転点の周りを回転できるようにされた、衣類用ハンガー。
【請求項２】
前記第一フック部材がほぼアーク形状をなす、請求項１に記載の衣類用ハンガー。
【請求項３】
前記第二フック部材がほぼ直線状の縁を有する形状をなす、請求項１に記載の衣類用ハンガー。
【請求項４】
前記第一フック部材と前記第二フック部材は、ハウジング内で受けられる、請求項１に記載の衣類用ハンガー。
【請求項５】
前記第一フック部材と前記第二フック部材は、前記ハウジングに対して角度をなすようにピボット回転できる、請求項４に記載の衣類用ハンガー。
【請求項６】
前記第一フック部材は第一の長手方向軸を有し、前記第二フック部材は第二の長手方向軸を有し、前記第一のフック部材は前記第一の長手方向軸の周りを回転でき、前記第二フック部材は第二の長手方向軸の周りを回転できる、請求項５に記載の衣類用ハンガー。
【請求項７】
前記アームのペアは上部で互いに接続されて統合され、前記ハウジングは前記上部の長さに沿って移動可能である、請求項４に記載の衣類用ハンガー。
【請求項８】
さらに、前記ベース部材上に配置される少なくともひとつのクランプ部材を具備して、前記少なくともひとつのクランプ部材は、前記ベース部材の軸の周りを回転可能であって、前記少なくともひとつのクランプ部材が第一の位置にあるとき、前記ベース部材の長さに沿って移動する、請求項１に記載の衣類用ハンガー。
【請求項９】
前記少なくともひとつのクランプ部材は、前記少なくともひとつのクランプ部材が第二の位置にあるとき、前記ベース部材の周りを回転できず、かつ、前記ベース部材の前記長さに沿って移動できないようにする力をかけるようにバイアスされている、請求項８に記載の衣類用ハンガー。
【請求項１０】
衣類用ハンガーであって、
第一フック部材と、
前記第一フック部材からほぼ離れるように伸延する、アームのペアと、
前記第一フック部材を前記アームに接続する、ハウジング部材と、
前記アームの端部を接続する、ベース部材とを具備して、
前記第一フック部材は、ピボット回転して前記ハウジング部材に対して角度をなすことができ、
該衣類用ハンガーは、さらに、前記第一フック部材と反対側に配置された第二フック部材を具備して、前記第二フック部材はピボット回転して前記ハウジング部材に対して角度をなすことができる、衣類用ハンガー。
【請求項１１】
前記第一フック部材と前記第二フック部材は互いに独立にピボット回転できる、請求項１０に記載の衣類用ハンガー。
【請求項１２】
前記第一フック部材と前記第二フック部材は前記ベース部材に平行な軸の周りを回転できる、請求項１０に記載の衣類用ハンガー。
【請求項１３】
前記第一フック部材は第一の長手方向軸を有し、前記第二フック部材は第二の長手方向軸を有し、前記第一のフック部材は前記第一の長手方向軸の周りを回転でき、前記第二フック部材は第二の長手方向軸の周りを回転できる、請求項１０に記載の衣類用ハンガー。
【請求項１４】
前記第一フック部材と前記第二フック部材は互いに独立にピボット回転できる、請求項１３に記載の衣類用ハンガー。
【請求項１５】
前記アームのペアは上部で互いに接続されて統合され、前記第一フック部材と前記第二フック部材は前記上部の長さに沿って移動可能である、請求項１０に記載の衣類用ハンガー。
【請求項１６】
前記第一フック部材がほぼアーク形状をなし、前記第二フック部材がほぼ直線状の縁を有する形状をなす、請求項１０に記載の衣類用ハンガー。
【請求項１７】
前記第一フック部材は前記ハウジング部材から第一の距離だけ伸延し、前記第二フック部材は前記ハウジング部材から第二の距離だけ伸延し、前記第一の距離が前記第二の距離より大きい、請求項１６に記載の衣類用ハンガー。
【請求項１８】
前記第一フック部材は前記ハウジング部材から第一の距離だけ伸延し、前記第二フック部材は前記ハウジング部材から第二の距離だけ伸延し、前記第一の距離が前記第二の距離より大きい、請求項１０に記載の衣類用ハンガー。
【請求項１９】
さらに、前記ベース部材上に配置される少なくともひとつのクランプ部材を具備して、前記少なくともひとつのクランプ部材は、前記ベース部材の周りを回転可能であって、前記少なくともひとつのクランプ部材が第一の位置にあるとき、前記ベース部材の長さに沿って移動する、請求項１０に記載の衣類用ハンガー。
【請求項２０】
前記少なくともひとつのクランプ部材は、前記少なくともひとつのクランプ部材が第二の位置にあるとき、前記ベース部材の周りを回転できず、かつ、前記ベース部材の前記長さに沿って移動できないようにする力をかけるようにバイアスされている、請求項１９に記載の衣類用ハンガー。
【請求項２１】
前記ベース部材は、前記アームの直径よりも大きい直径を有する、請求項１０に記載の衣類用ハンガー。
【請求項２２】
少なくともひとつの前記アームは前記アームの中央に設けられたくぼみを有する、請求項１０に記載の衣類用ハンガー。
【発明の詳細な説明】
【技術分野】
【０００１】
本発明は、一般に、衣類用ハンガー、より具体的には、シャツ、ブラウス、セータ−、ジャケットなどのように上半身用にデザインされた衣類、及び、パンツ、スカートなどのように下半身用にデザインされた衣類をしわが寄らないようにハンガーの安定保持位置に保持する、衣類用ハンガー装置に関する。
【背景技術】
【０００２】
従来の使用方法であるひとつの衣類をひとつのハンガーにかける衣類をかけるための衣類用ハンガーについては多くのデザインが知られている。しかしながら、多くの衣類はコーディネイトされた１つのセットとして着る、保管する、そして、売るように作られている。たとえば、コーディネイトされたジャケットとパンツ、コーディネイトされたスカートとブラウス、そして、そのようなコーディネイトされた組合せが、セットとして着て、保管して、そして、売られるように作られている。したがって、これらの衣類が実際一緒に着るセットであるので、これらの衣類を運べるように一緒にして整理しておくことが望ましい。したがって、ひとつのハンガーにひとつの衣類をかけることには、クロゼットのスペースが乏しく多くのハンガーを収容できないにもかかわらず、ワードローブ用に極端に多くのハンガーを必要とするなどの多くの欠点がある。
【０００３】
さらに、違うハンガーにかけられたひとつのセットを構成する複数の衣類をまとめて扱う際、複数のハンガーのフックをひとつのクロゼットのレールにかけることはしばしば困難であり、しばしばハンガーから衣服が落ちたり衣類のダメージを与えたりする。
【０００４】
上着とパンツの組合せのような２つあるいはそれ以上の衣類をひとつのハンガーにかけることができるハンガーが、フックに対する衣類の自由な動きを制限する固定されたフック部を具備していると、結果として、衣類にしわが入る蓋然性を高めることになる。たとえば、旅行用衣類バッグの中での用に複数の衣類が標準的なデザインのハンガーに積み重ねてあるいは層状にかけられると、さらにしわが入ることになる。このような使い方では、フックが硬いと、この硬いフックがハンガーの衣類を保持する部分がずらしてしまい、連なって続いているそれぞれのハンガーが隣のハンガーから相当にずれたりそれたりする。この結果、しばしばハンガーのずれに応じて衣類がずれてしまい、結果的に、しわが寄ったり衣類が完全にハンガーからずれ落ちてしまう。
【０００５】
このように、従来のハンガーの欠点を解決するために有効な関節を持つ又は回転できるフックを持った経済的なハンガー装置に対する必要性が依然として存在している。
【発明の概要】
【０００６】
本発明の目的と効果を以下の記載に述べる。本発明の実施から学ぶことができるもの、記載から明らかな事項も本発明の目的と効果に含むものとする。本発明の付加的な効果は特に明細書及び請求項の記載で指摘された又は図面から読取れる方法とシステムによって実現かつ達成される。
【０００７】
本発明の目的のしたがってこれら及びその他の効果を達成するには、実施態様を示して広く記載したように、本発明は、第一フック部材、第一フック部材の下方に配置された第二フック部材、第一フック部材からほぼ下方に向かって伸延するアームのペアを具備した衣類用のハンガー、及び、第一フック部材及び第二フック部材がベース部材に平行な軸の周りを回転できるようにアームの端部に接続されたベース部材を含む。
【０００８】
ひとつの例示的な実施態様では、第一フック部材はほぼアーク形状をなし、第二フック部材はほぼ直線的な縁を持つ形状をなしている。第一フック部材及び第二フック部材はハウジング内で受けられ、ハウジングに対して角度をなすようにそれぞれ独立に回転することができる。加えて、第一フック部材は第一長手方向軸を持ち、第二フック部材は第二長手方向軸を持ち、第一及び第二フック部材は各々の長手方向軸の周りに独立に回転することができる。
【０００９】
衣類用ハンガーのアームは上部で互いに一体的に接続され、ハウジングと２つのフック部材は上部の長さに沿って動くことができる。加えて、ベース部材は、少なくとも１つのクランプを含む。この少なくとも１つのクランプはベース部材の軸の周りを回転することができ、ベース部材の長さに沿って動くことができる。さらに、第一フック部材はハウジング部材から第一の距離だけ伸延しており、第二フック部材はハウジング部材から第二の距離だけ伸延しており、第一の距離は第二の距離よりも長い。ある実施態様では、ベース部材は、アームの直径よりも大きな直径を有し、少なくとも１つのアームは、その中間部位にくぼみを有する。
【００１０】
上述した全般的な記載及び以下の詳細記載は例示であり請求項の発明を詳しく説明することを意図したものでることを理解されるべきである。
【００１１】
添付の図面は組入れられてこの明細書の一部をなし、本発明の方法とシステムに関して例を用いて説明してさらに理解するためのものである。
【図面の簡単な説明】
【００１２】
【図１】図１は、本発明にしたがった衣類用ハンガー装置の概略図である。
【図２】図２は、図１に示した衣類用ハンガー装置の展開図である。
【図３】フック部の動きの第一範囲を示した、図１に示した衣類用ハンガー装置の概略図である。
【図４Ａ】フック部の動きの第二範囲を示した、図１に示した衣類用ハンガー装置の概略図である。
【図４Ｂ】フック部の動きの第三範囲を示した、図１に示した衣類用ハンガー装置の概略図である。
【発明を実施するための形態】
【００１３】
以下、添付の図面を参照して本発明の実施態様を例示として詳細に説明する。システムと関連付けて本発明の方法とその方法を構成する工程を記載する。
【００１４】
ここに示す衣類用ハンガー装置は、ただ一つのハンガーで、複数の衣類又はアクセサリーをしっかりと保持するように使用することができる。本発明は、特に、複数の衣類が平らのままでいるあるいはハンガー本体の面内にあるように、回転又は平行移動するとき、関節を持つフック部材は、衣類バッグの保持ロッドと係合した状態を維持できるような、衣類バッグの態様での使用に向いている。図１は、限定ではなく説明の目的で、本発明にしたがったシステム１００の例示的な実施態様を示したものである。
【００１５】
図１に示したように、システム１００は、ほぼアーチ状の形状をもつフックである、第一フック部材１０を具備している。保管用クロゼット内の保持ロッドの大半は円柱状の形状をなしているので、このようなアーチ状の形状は好適である。であるから、第一フック部材１０がアーチ状の形状であることによって、本発明の衣類用ハンガーは広く使用することができ、広い用途に対応することができる。第一フック部材に連結してその下側に伸延する第二フック部材２０が図１に示されている。直線的な縁を持つ構造は、特に、ベルト、ネクタイ他、追加の（あるいは予備の）衣類ハンガーなどのアクセサリーを保持するのに向いている。
【００１６】
加えて、本発明の１つの側面として、第二フック部材２０の直線的な縁を持つ部分２２は衣類バッグへの装着を容易にするように構成することができる。換言すると、直線的な縁を持つ部分２２は、通常、角型の取付けクリップあるいはロッドと協働してしっかりと衣類バッグの内にハンガーを配置できるようにされている。さらに、フックの上部から衣類の最下部までの距離を減らすことで衣類がバッグの中に完全にフィットするようにするために、第二フック２０の長さは、たとえば、フック１０のような典型的なハンガーのフックの長さより短くすることができる。他方、第一フック１０は典型的なサイズと形状にすることができ、クロゼットの中で従来通りに使用することができる。したがって、本発明によって、ただひとつのハンガーによって、所望通りに、従来のクロゼットの保持ロッドあるいは衣類バッグと係合することができるようにすることができる。アームの端部がほぼ水平のベース部材４０によって連結されたアームのペア３０は、第一フック部材と第二フック部材２０のほぼ下方に伸延する。
【００１７】
図２に示すように、本発明の別の１つの側面として、第一フック部材１０と第二フック部材２０は、第一パネル１２と第二パネル１４を備えたハウジング１５内で連結される。同様に、アーム３０は、ハウジング１５内で受けられるように構成されている。ひとつの実施態様でのパネル１２、１４は、たとえば、ねじなどの取外し可能な締め具で取付けられているが、所望によっては代替手段を使用することができる。ひとつの実施態様において、ハウジング１５内のスロットを形成する位置に対応してフック部材１０、２０とアーム３０をパネル接合部で受けるように、パネル１２、１４は、双方ともこれらの両面にそれぞれ形成されたＵ字型のチャネルを有している。
【００１８】
ひとつの例示的な実施態様では、フック部材１０、２０に対応するスロットは、フック部材がハウジング１５内で受けられたとき、フック部材の各々とスロットの境界との間にギャップ（空間的間隙）が存在するように寸法決めされている。このギャップによってフックがハウジング１５に対して例えば前後に動けるようになる。したがって、フック部材１０、２０は、衣類ハンガー構造の残りの部分をずらすことなく、各々のフック部材が回転できて荷物（衣類バッグ）の保持ロッド（図示しない）と係合を維持する、関節を持つことになる。図４Ａと図４Ｂに、フック部材１０、２０の初期位置（点線で表示されている）と、フック部材が回転してハウジング１５に対して角度をなした、第二位置（実線で示されている）を示している。したがって、上述したように、フック部材が回転できることによって、衣類バッグの中で複数の衣類ハンガーが重ねられたり積み重ねたりしたとき、衣類は平らのままでいることができ、しわになりにくい。さらに、各々のフック部材は他のフックとは独立に回転又はずれることができる。たとえば、直線的な縁を持つフック部材２０が後方へ回転する一方で、同時に、アーク形状のフック部材１０が前方に回転することができる。
【００１９】
加えて、ハウジング１５は、ハウジング１５の中でフック部材１０、２が３６０°回転することができるようにしながら、フック部材１０、２０の各々を衣類ハンガー装置にしっかりと連結する。換言すると、図４Ａと図４Ｂの矢印に示すように、フック部材１０、２０の各々は、その周りにフック部材が自由に自転又は公転できる長手方向軸を有している。このように、フック部材が左向きから（図１、図２に示さている）右向きへ方向を変えることができるので、衣類ハンガー装置はどちらの方向からでも保持ロッド上に位置することができる。さらに、フック部材１０、２０の各々は、互いに独立に自転できる。ハウジング１５の構造とフック１０、２０を伴ったパネル１２、１４の係合によってこのピボット回転の自由度を得ることができる。
【００２０】
図２に示したように、パネル１２、１４の各々は、たとえば、フック１０、２０の端部にあるボールのような突起部を受ける半球状のソケットを具備している。ここで、ソケットは前述のＵ字型のチャネルに位置合わせされている。各々のフックの端にあるボールは、Ｕ字型のチャネルよりも寸法が大きい。したがって、２つのパネル１２、１４の接合部で、２つの半球状ソケットは、ボールと各々のフックの端部で係合して、フックがハウジング１５から外れるのを防止して、かつ、独立にピボット回転、自転、又は、公転できる。
【００２１】
本発明の他のひとつの側面にしたがって、ハウジング１５は、ハウジング１５がアーム３０に対して回転できながら、ハンガー装置のアーム３０としっかりと連結するように構成されている。したがって、図１−２に示すようにフック部材は配置されており、アーク状のフック部材１０は直線状の縁を持つフック２０の上方に配置されている。しかしながら、１８０°回転したときに、直線状の縁を持つフック２０がアーク状のフック部材１０の上方に配置されるように、ハウジング１５は３６０°回転することができる。
【００２２】
したがって、本発明のフック部材１０、２０は高い自由度を備えている。たとえば、各々のフックは、独立にピボット回転してハウジング１５が作る平面内へ入ったりその平面から出たりでき、ハウジング１５内で自由に自転できたり、両方のフック部材は同時にアームの周りを回転できる。加えて、アーム３０を受けるハウジング１５のスロットはハウジング１５がアームの上部３２の長さに沿って動けるように構成されている。ハンガー装置の向きを再び変える際に衣類用ハンガーがずれるのを防ぎ、衣類をまっすぐにあるいは平らな位置を保ってしわができるのを避けるので、この動きの自由度は有利な効果である。
【００２３】
このようなことは、特に、ひとつの衣類ハンガーが他の衣類ハンガーに取付けられてツリー構造又は層をなしたハンガーアセンブリを形成するような実施態様で有益である。このような実施態様では、ハンガーの第一フック１０は別のハンガーの第二フック２０と係合してそのハンガーシステムが保持できる衣類の数を増やすことができる。フック部材１０、２０の動きの自由度によって、望ましくない空隙あるいは衣類間の隙間を作り出すことなく、複数のハンガーを互いに取付けることができる。
【００２４】
図１−２に示したように、アーム３０は、ハンガー装置の上部に第一部位３２を有している。図２に示したように、例示的な実施態様では、アームは上部部位３２に沿って統合的に連結されて、２つの下方に伸びるアームがひとつの連続した構造体として形成される。アームの第二部位３４は、その部位内に形成されたくぼみ３４ａを備えることができる。このくぼみによって、ハンガー装置の構造的な一体性統合性が一層増すことになる。ジャケットやコートのような重い衣類が衣類ハンガーにかけられたとき、曲がったりよじれたりすることをアーム３０で抑えて水平方向のベース部材４０の形を変えないように、このくぼみによってアーム３０を介して負荷を分散させる。これにより、ベース部材４０の歪みや捩れを防いでしわが寄るのを防ぐので、ズボンのペアあるいはスカートがベース部材４０で保持されるような場合に効果がえられる。加えて、くぼみ３４ａは、スカートやブラウスのようにくぼみの中に入ることができるサポートループを持つ、衣類の保持部として機能することができる。
【００２５】
例示的な実施態様では、ベース部４０は、ほぼ円柱状の形状をなして、アーム３０の直径より大きな直径を有して、２つのアーム端部３６の間を水平に伸びている。このより大きなベース部４０の直径によって、ハンガー装置構造体を強化してそこにかける衣類を安定に保持するように機能することができる。図２に示すように、ベース部材４０は、円錐形の先端部４４の中で受けられる梁４２を有している。円錐形の先端部は、梁を受け入れる開口部を第一の側に有しており、第二の側にアーム部材のアーム端部３６を受け入れる開口部を有している。
【００２６】
加えて、衣類をしっかりと安定させるベース部材４０上に、図１−２の実施態様ではクランプ部材である保持構造４６を備えている。さらに、図３に示したように、クランプが衣類に取付けられていない第一位置にクランプがあるとき、クランプ４６はベース部材４０に沿って平行移動する態様で横滑りし、また、ベース部材４０の周りを回転するように構成されている。以下にさらに詳細に記載する。いくつかの実施態様では、円錐形の先端部４４は、２つの端部４４の間でクランプ４６が平行移動動作する範囲を限定するバリアとして機能するように寸法決めされている。
【００２７】
クランプ４６は、スカートのようなサポートループを有している衣類と共に使用するのに特に適しており、クランプ４６は、クランプばさみ４８と共に回転してベース部材の底面の位置に至る。クランプ４６がこの位置にあるとき、衣類の吊るすためのループはベース部材４０とクランプ４６の間に安定することができ、衣類を下に向かってまっすぐかけることができるので、最もしわが寄らないようにできる。衣類の重さはクランプばさみ４８で支持され、はさみは移動してベース部材４０とクランプ４６との間に摩擦力を発生して、ベース部材４０とクランプ４６の間の相対的な動き、すなわち、回転あるいは平行移動を阻止する。
【００２８】
加えて、クランプばさみ４８がベース部材４０の上側の面にあるとき、ハンガーはパンツをきちんと保持するのにより適している。たとえば、クランプばさみ４８を持ち上げてパンツをベース部材４０とクランプばさみ４８との間に挿入するのようにする。この構成では、クランプばさみ４８は下方に力をかけるので、パンツをしっかりとハンガーに保持してしわが寄らないようにできる。クランプばさみ４８がこの第二の位置にあるこの構成をとっているとき、すなわち、ここで記載したようにクランプばさみ４８が上方にあるとき、はさみ４８は曲がってベース部材４０とクランプ４６との間に摩擦力をかけ、ベース部材４０とクランプ４６の相対的な動きを阻止している。しかしながら、はさみ部材４８が衣類によって移動させられた第二の位置にあるときでさえ、所望すれば、この摩擦力はユーザーによって取り去って、クランプ４６を移動することができる。
【００２９】
本発明はここでは例示的な実施態様にて記載したが、本発明の範囲を逸脱せずに様々な変形態様及び改良ができることを当業者は理解するであろう。たとえば、本発明は、主に、具体的なジオメトリを持った衣類用ハンガーを用いて説明したが、様々なジオメトリ及び寸法に対して本発明は適応することができる。さらに、本発明のひとつの実施態様における個々の特徴が、別の実施態様ではなくそのひとつの実施態様に関して議論されあるいは図に示されたが、ひとつの実施態様における個々の特徴はひとつあるいはそれ以上の他の実施態様の特徴あるいは複数の実施態様の特徴と結合できることは明らかである。
【００３０】
以下に請求項で請求する具体的な実施態様に加えて、以下の請求項で請求する及び上述した従属的な特徴のすべての可能な組合せを有する本発明は他の実施態様にも向けられている。このように、本発明が特にすべての可能な組合せを有する他の実施態様にも向けられているものとしても理解されるように、本発明の範囲内で従属項に現れる具体的な特徴及び上述したものはこの他の態様で互いに組み合わせることができる。このように、本発明の具体的な実施態様について前述した記載は例示的に記載する目的で現したものである。本発明をすべてを挙げた尽くしたあるいは本発明を記載した実施態様に限定する意図はない。
【００３１】
本発明の思想と範囲を逸脱せずに、本発明の方法とシステムに対して多くの変形態様及びバリエーションをなしえることは当業者には明らかである。したがって、本発明の思想と範囲を逸脱しない添付の請求項及びその等価なものの範囲内での変形態様及びバリエーションを本発明は含むものとする。
【図１】
0005437656.tif 000002
【図２】
0005437656.tif 000003
【図３】
0005437656.tif 000004
【図４Ａ】
0005437656.tif 000005
【図４Ｂ】
0005437656.tif 000006